(57)【要約】    【課題】  押圧手段による押圧動作時の電気部品に対するダメージを抑制し、同時に電気部品の取り出しを容易にしようとする電気部品用ソケットを提供する。    【解決手段】  ソケット本体部の上面に形成されＩＣパッケージを収容する収容部２０と、収容部２０に対して上下動可能に配設されＩＣパッケージの底面に係止してこれを支持するフローティングプレート１６と、ソケット本体部に備えられフローティングプレート１６を上方に付勢する弦巻ばね１５と、収容部２０に収容されるＩＣパッケージを上方から押圧する押圧手段２６とを備え、弦巻ばね１５に対応するフローティングプレート１６部位に上下方向の貫通孔１６ｄを形成して解除部材２１を挿入し、ＩＣパッケージが押圧される前に押圧手段２６によって解除部材２１を押圧して弦巻ばね１５の付勢を解除し、フローティングプレート１６を下降させるようにしたものである。【選択図】      図４
2005294017.tif 000002
【特許請求の範囲】
【請求項１】
ソケット本体部の上面に形成され、電気部品を収容し、該電気部品の端子と接触可能なコンタクト手段を配設した収容部と、
前記収容部に対して上下動可能に配設され、前記電気部品の底面に係止してこれを支持するフローティングプレートと、
前記ソケット本体部に備えられ、前記フローティングプレートを上方に付勢する付勢手段と、
前記収容部に収容される電気部品に対して、その上面を押圧して電気部品の端子と前記コンタクト手段とを電気的に接続させるように上方から押圧する押圧手段と、
を備えて成る電気部品用ソケットであって、
前記押圧手段が前記電気部品を押圧する際、該電気部品の上面に前記押圧手段が当接して押圧する前に、前記フローティングプレートを下降させる手段を備えたことを特徴とする電気部品用ソケット。
【請求項２】
前記フローティングプレートを下降させる手段は、前記フローティングプレートの前記付勢手段に対応する部位に上下方向に貫通した貫通孔に挿入されて前記付勢手段の付勢を解除する解除部材であり、前記電気部品の上面に押圧手段が当接して押圧する前に、該押圧手段によって押圧されて付勢手段の付勢を解除するようにしたことを特徴とする請求項１記載の電気部品用ソケット。
【請求項３】
前記押圧手段は、前記ソケット本体の一側端部に回動可能に設けたソケットカバーの前記収容部に対向する側の面に弾性部材で弾性的に支持されたプッシャーと、該プッシャーに保持されて前記電気部品を押圧するパッドとを備え、前記ソケットカバーが倒伏する閉動作に伴って、前記パッドの縁部を前記解除部材に当接させて押圧するようにしたことを特徴とする請求項２記載の電気部品用ソケット。
【請求項４】
前記解除部材は、前記フローティングプレートの貫通孔に係止するブロック状に形成したものであることを特徴とする請求項２又は３記載の電気部品用ソケット。
【請求項５】
前記解除部材は、前記付勢手段の上端部に一体的に形成した密巻き部であることを特徴とする請求項２又は３記載の電気部品用ソケット。
【請求項６】
前記パッドは、前記電気部品の押圧状態にてパッドの前記縁部と前記フローティングプレートの貫通孔上端面との間に隙間が生じるように形成したことを特徴とする請求項３〜５のいずれか１項に記載の電気部品用ソケット。
【請求項７】
前記フローティングプレートは、前記収容部に対応して前記電気部品を挿入可能な開口部を備え、該開口部の壁部に電気部品の底面に係止する支持部を開口部内側に突出させたことを特徴とする請求項１〜６のいずれか１項に記載の電気部品用ソケット。
【発明の詳細な説明】
【技術分野】
【０００１】
本発明は、電気部品を検査する電気部品用ソケットに関し、詳しくは、押圧手段による押圧動作完了直前まで電気部品へ負荷が掛からないようにして押圧動作時の電気部品に対するダメージを抑制し、同時に電気部品の取り出しを容易にしようとする電気部品用ソケットに係るものである。
【背景技術】
【０００２】
従来の電気部品用ソケットは、例えば図１０に示すように、コンタクトピン１が配設されたベースプレート２と、このベースプレート２上に配設され、電気部品（以下、ＩＣパッケージ３と記載）の端子とコンタクトピン１とを電気的に接続するタブフィルム４と、このタブフィルム４上にベースプレート２に対して着脱可能に配設され、一側端部に回動可能にソケットカバー５を設けた中間部材６と、この中間部材６に設けた開口部６ａに着脱可能に係合され、中央部に開口部７ａが形成されたアライメントプレート７とを有しており、ソケットカバー５を倒伏して閉じることによって、ソケットカバー５に設けたパッド８でアライメントプレート７の開口部７ａに収容されたＩＣパッケージ３を押圧して、タブフィルム４を介してＩＣパッケージ３の端子とコンタクトピン１とを電気的に接続させるようになっている（例えば、特許文献１参照）。
【０００３】
なお、図１０において、符号９は、タブフィルム４を下から弾性的に支持してタブフィルム４の電極パターン（以下、接点電極４ａと記載）とＩＣパッケージ３の端子との確実な電気的接続を確保するために設けたシリコーンゴム等からなる弾性シートを示している。また、符号１０は、ＩＣパッケージ３の端子が所定以上潰れないように設けたストッパを示している。さらに、符号１１は、中間部材６に押圧されてタブフィルム４の接続電極４ｂとコンタクトピン１との確実な電気的接続を維持するために設けた他の弾性シートを示している。また、符号１２は、中間部材の側面６ｂに係止してソケットカバーの閉状態を維持するようにした係止手段を示している。そして、上記各要素は、ボルト１３とナット１４とを締結して電気部品用ソケットに組立てられる。
【特許文献１】特開２００３−２７２７８６号公報
【発明の開示】
【発明が解決しようとする課題】
【０００４】
しかし、このような従来の電気部品用ソケットにおいては、ＩＣパッケージ３を押圧してＩＣパッケージ３の端子である半田ボールとタブフィルム４の接点電極４ａとの電気的接続を確保するようにしたものであるため、例えば高温で行うバーンインテスト等の際に半田ボールが軟化して接点電極４ａに貼りつくことがあった。この場合、テスト終了後、ＩＣパッケージ３を電気部品用ソケットから取り外す際に、容易に取り出せないことがあった。
【０００５】
このような問題に対処するためには、図１１に示すように、前述のアライメントプレート７に替えて、弦巻ばね１５で上方に付勢されて弾性的に支持され、上下動可能にされたフローティングプレート１６をベースプレート２上方に配設し、このフローティングプレート１６のＩＣパッケージ３を収容する開口部１６ａの壁部１６ｂにＩＣパッケージ３の底面に係止する支持部１７を開口部１６ａ内側に突出させる構成とすることが考えられる。このように構成すれば、ソケットカバー５を閉じるときに、開口部１６ａに収容されたＩＣパッケージ３の上面をパッド８で弦巻ばね１５の同図中矢印Ａ方向の付勢力に抗して同図中矢印Ｂ方向に押圧してフローティングプレート１６と一緒に押し下げ、ＩＣパッケージ３の端子３ａとタブフィルム４の接点電極４ａとを接続させることができる。また、テスト終了後は、ソケットカバー５を開く動作に伴って、パッド８によるＩＣパッケージ３への押圧力が解除され、弦巻ばね１５の付勢力（矢印Ａ方向）によりフローティングプレート１６が押し上げられる。これにより、フローティングプレート１６の開口部１６ａに設けた支持部１７がＩＣパッケージ３の底面に係止して、タブフィルム４の接点電極４ａに貼りついたＩＣパッケージ３の端子３ａを弦巻ばね１５の付勢力によって引き剥がすことができる。
【０００６】
しかし、このような電気部品用ソケットにおいては、貼りついたＩＣパッケージ３を容易に引き剥がすためには、弦巻ばね１５の付勢力を強くする必要がある。この場合、ＩＣパッケージ３をフローティングプレート１６の開口部１６ａに収容してソケットカバー５を閉じる際に、ＩＣパッケージ３には、矢印Ａ方向の弦巻ばね１５の付勢力がそのまま作用することになり、ＩＣパッケージ３の底面部に大きなダメージを与え、ＩＣパッケージ３を破損させたり傷付けたりする虞がある。
【０００７】
そこで、本発明は、このような問題点に対処し、押圧手段による押圧動作時の電気部品に対するダメージを抑制し、同時に電気部品の取り出しを容易にしようとする電気部品用ソケットを提供することを目的とする。
【課題を解決するための手段】
【０００８】
上記目的を達成するために、本発明による電気部品用ソケットは、ソケット本体部の上面に形成され、電気部品を収容し、該電気部品の端子と接触可能なコンタクト手段を配設した収容部と、前記収容部に対して上下動可能に配設され、前記電気部品の底面に係止してこれを支持するフローティングプレートと、前記ソケット本体部に備えられ、前記フローティングプレートを上方に付勢する付勢手段と、前記収容部に収容される電気部品に対して、その上面を押圧して電気部品の端子と前記コンタクト手段とを電気的に接続させるように上方から押圧する押圧手段と、を備えて成る電気部品用ソケットであって、前記押圧手段が前記電気部品を押圧する際、該電気部品の上面に前記押圧手段が当接して押圧する前に、前記フローティングプレートを下降させる手段を備えたものである。
【０００９】
このような構成により、付勢手段で付勢されて収容部に対して上下動可能に配設されたフローティングプレートで電気部品の底面に係止してこれを支持し、押圧手段が電気部品を押圧する際、電気部品の上面に押圧手段が当接して押圧する前に、フローティングプレートを下降させる手段でフローティングプレートを下降させる。
【００１０】
また、前記フローティングプレートを下降させる手段は、前記フローティングプレートの前記付勢手段に対応する部位に上下方向に貫通した貫通孔に挿入されて前記付勢手段の付勢を解除する解除部材であり、前記電気部品の上面に押圧手段が当接して押圧する前に、該押圧手段によって押圧されて付勢手段の付勢を解除するようにしたものである。これにより、押圧手段でフローティングプレートに設けた上下方向の貫通孔に挿入された解除部材を電気部品が押圧される前に押圧し、解除部材でフローティングプレートを上方に付勢する付勢手段の付勢を解除する。
【００１１】
さらに、前記押圧手段は、前記ソケット本体の一側端部に回動可能に設けたソケットカバーの前記収容部に対向する側の面に弾性部材で弾性的に支持されたプッシャーと、該プッシャーに保持されて前記電気部品を押圧するパッドとを備え、前記ソケットカバーが倒伏する閉動作に伴って、前記パッドの縁部を前記解除部材に当接させて押圧するようにしたものである。これにより、ソケットカバーが倒伏する閉動作に伴って、ソケットカバーの収容部に対向する側の面にプッシャーと共に弾性的に支持されたパッドの縁部で解除部材を押圧する。
【００１２】
さらにまた、前記解除部材は、前記フローティングプレートの貫通孔に係止するブロック状に形成したものである。これにより、フローティングプレートの貫通孔に係止するブロック状の解除部材でフローティングプレートを付勢する付勢手段の付勢を解除する。
【００１３】
又は、前記解除部材は、前記付勢手段の上端部に一体的に形成した密巻き部である。これにより、付勢手段の上端部に一体的に形成した密巻き部でフローティングプレートを付勢する付勢手段の付勢を解除する。
【００１４】
また、前記パッドは、前記電気部品の押圧状態にてパッドの前記縁部と前記フローティングプレートの貫通孔上端面との間に隙間が生じるように形成したものである。これにより、電気部品の押圧状態にてパッドの縁部とフローティングプレートの貫通孔上端面との間に隙間を生じさせる。
【００１５】
そして、前記フローティングプレートは、前記収容部に対応して前記電気部品を挿入可能な開口部を備え、該開口部の壁部に電気部品の底面に係止する支持部を開口部内側に突出させたものである。これにより、開口部の壁部に開口部内側に突出させて備えた支持部で開口部に挿入された電気部品の底面に係止してこれを支持する。
【発明の効果】
【００１６】
請求項１に係る発明によれば、電気部品を支持し、付勢手段で上方に付勢されたフローティングプレートを電気部品が押圧される前に下降させるようにしたことにより、フローティングプレートが最下点の位置まで下降した後、押圧手段が電気部品の上面に当接して押圧するまでは、押圧手段の負荷が電気部品へ掛からないようにすることができる。したがって、押圧手段による押圧動作時には、電気部品に対して付勢手段の付勢力が作用せず、電気部品に対するダメージを抑制することができる。
【００１７】
また、請求項２に係る発明によれば、電気部品を押圧する押圧手段でフローティングプレートに設けた上下方向の貫通孔に挿入された解除部材を電気部品が押圧される前に押圧し、解除部材でフローティングプレートを付勢する付勢手段の付勢を解除するようにしたことにより、フローティングプレートを下降させる機構を簡単な構造とすることができる。
【００１８】
さらに、請求項３に係る発明によれば、ソケットカバーが倒伏する閉動作に伴って、ソケットカバーの収容部に対向する側の面にプッシャーと共に弾性的に支持されたパッドの縁部で解除部材を押圧するようにしたことにより、クラムシェルタイプの電気部品用ソケットに容易に適用することができる。
【００１９】
また、請求項４に係る発明によれば、解除部材をフローティングプレートの貫通孔に係止するブロック状に形成したことにより、解除部材は、貫通孔から抜け落ちることがない。したがって、解除部材の取り扱いが容易になる。
【００２０】
さらに、請求項５に係る発明によれば、解除部材を付勢手段の上端部に一体的に形成した密巻き部としたことにより、製造が容易である。
【００２１】
また、請求項６に係る発明によれば、パッドによる電気部品の押圧状態にて該パッドの縁部と、フローティングプレートの貫通孔上端面との間に隙間が生じるようにしたことにより、電気部品の厚みのバラツキを吸収してパッドによる押圧力を確実に電気部品に伝えることができる。
【００２２】
そして、請求項７に係る発明によれば、開口部の壁部に開口部内側に突出させて備えた支持部で開口部に挿入された電気部品をその底面に係止して支持するようにしたことにより、ソケットカバーの開動作時に、フローティングプレートを上方に付勢する付勢手段の弾性復元力を支持部で電気部品の底部に作用させることができる。したがって、高温テスト等により電気部品の端子部がコンタクト手段に貼りついた場合にも、容易に引き剥がすことができる。
【発明を実施するための最良の形態】
【００２３】
以下、本発明の実施の形態を添付図面に基づいて詳細に説明する。
図１は本発明による電気部品用ソケットの実施の形態を示す平面図であり、図２は、図１のＸ−Ｘ線断面図である。この電気部品用ソケットは、ＩＣパッケージのバーンインテスト等の製品検査に使用されるクラムシェルタイプの電気部品用ソケットであり、ソケット本体部１８と、コンタクト手段１９と、フローティングプレート１６と、ソケットカバー５とを備えている。
【００２４】
ここで、ＩＣパッケージ３は、図３に示すように、例えば四角形状のパッケージ本体の底面３ｂに多数の略球形状の半田ボールから成る端子３ａが縦列と横列にマトリックス状に配列されたＢＧＡ（Ball Grid Array）タイプのものである。
【００２５】
ソケット本体部１８は、図２に示すように、中央部に形成した収容部２０にＩＣパッケージ３を収容して保持するものであり、収容部２０に対応して四角形の溝部２ａを形成し、この溝部２ａにシリコーンゴム等の弾性シート９を備えた外形四角形状のベースプレート２と、収容部２０に対応して開口部６ａを有して略同一の外形形状に形成された中間部材６とを備えて構成する。
【００２６】
ベースプレート２には、コンタクト手段１９が設けられている。このコンタクト手段１９は、収容部２０に収容されるＩＣパッケージ３の端子３ａとベースプレート２の下方に配設される電気回路基板とを電気的に接続するものであり、図２に示すようにコンタクトピン１と、タブフィルム４とで構成する。
【００２７】
ここで、コンタクトピン１は、導電性を有する金属製板材を例えばプレス加工して形成され、ベースプレート２の周縁部の４辺に沿って多数植設（図２では４列）され、上端部をベースプレート２の上面側に突出してタブフィルム４の接続電極４ｂ（図１０参照）と接触する接触部１ａとして形成し、下端部をベースプレート２下面側に突出するリード部１ｂとして形成し、図示省略の電気回路基板のスルーホールにリード部１ｂを挿入して電気的に接続するようになっている。
【００２８】
また、タブフィルム４は、例えばポリイミドフィルムに中央部から周縁部に向かってファンアウトする配線を形成した四角形状のフレキシブルプリント基板であり、周縁部の裏面側にはコンタクトピン１の接触部１ａと接触する複数の接続電極４ｂ（図１０参照）を形成し、中央部の表面には、図４に示すように収容部２０に収容されるＩＣパッケージ３の端子３ａに接触する複数の接点電極４ａを形成し、稠密配列されたＩＣパッケージ３の端子３ａとコンタクトピン１との電気的接続を可能にしている。このタブフィルム４は、ベースプレート２中央部に配設された弾性シート９の上に配置され、弾性シート９の弾性力によって、ＩＣパッケージ３の端子３ａとタブフィルム４に形成した接点電極４ａとの電気的接続を確実に行えるようになっている。また、タブフィルム４には、収容部２０の四隅角部に対応して挿入孔４ｃを形成し、後述のフローティングプレート１６の支持部１７がフローティングプレート１６の下降に伴ってこの挿入孔４ｃに挿入されるようになっている。
【００２９】
さらに、タブフィルム４の上面には、ストッパ１０が配設されている。このストッパ１０は、ＩＣパッケージ３の端子３ａとタブフィルム４の接点電極４ａとの位置決めをすると共に、ＩＣパッケージ３の端子３ａが高温のバーンインテスト等で変形するのを最小限に抑えるためのものであり、耐熱性、絶縁性及び所定の硬度を有する例えばポリイミド樹脂によって四角形状に形成され、中央部にはＩＣパッケージ３の端子３ａを導入する多数の導入孔１０ａを形成している。そして、ストッパ１０の高さは、ＩＣパッケージ３の端子３ａの高さよりも僅かに低く形成され、高温テストで端子３ａの半田ボールが軟化して変形してもＩＣパッケージ３の底面３ｂがストッパ１０に当接することにより、所定以上に変形が進まないようになっている。
【００３０】
また、ベースプレート２の上方部位にて中間部材６の開口部６ａには、図１に示すように、フローティングプレート１６が収容されている。このフローティングプレート１６は、ＩＣパッケージ３を収容部２０に案内すると共に、テスト終了後、タブフィルム４の接点電極４ａに端子３ａが貼りついたＩＣパッケージ３を引き剥がす機能を有するものであり、図５に示すように、収容部２０に対応して開口部１６ａを形成し、この開口部１６ａの壁面１６ｂを斜面状に形成して（図４参照）ＩＣパッケージ３を収容部２０に案内するガイド部とし、この壁面１６ｂ下部にて開口部１６ａの例えば四隅角部には、開口部１６ａの内側に突出させてＩＣパッケージ３の底面３ｂに係止する支持部１７を形成している。なお、支持部１７の高さは、タブフィルム４の厚みとストッパ１０の高さとを加算した値に略一致するように形成される。
【００３１】
さらに、開口部１６ａの各辺の側方中央部には、上下方向に貫通する円錐状の貫通孔１６ｃが形成され、この貫通孔１６ｃには解除部材２１が挿入されている。この解除部材２１は、後述のパッド８に押圧されて押し下げられフローティングプレート１６を上方に付勢する後述の弦巻ばね１５の付勢を解除するものであり、貫通孔１６ｃと略等しい円錐台形状を有し、その上端部をフローティングプレート１６の上面に突出させている。
【００３２】
さらにまた、貫通孔１６ｃに対応したベースプレート２上の部位には、付勢手段としての弦巻ばね１５が設けられている。この弦巻ばね１５は、フローティングプレート１６を弾性的に支持するものであり、一端部をベースプレート２に固定し、他端部を解除部材２１の底面に当接して解除部材２１を介してフローティングプレート１６を付勢するようになっている。
【００３３】
そして、ソケット本体部１８の中間部材６の一側端部には、図１又は図２に示すように、ソケットカバー５が回動可能に設けられている。このソケットカバー５は、一側端部を中間部材６の一側端部に回動軸２２で回動可能に軸支され、この回動軸２２に巻き付けられ、一端部を中間部材６の上面に係止し、他端部をソケットカバー５の内側面に係止させた弦巻ばね２３で常時起立方向（開方向）に付勢されている。このソケットカバー５の他端部には、係止手段１２が回動軸２４により回動可能に軸支されている。この係止手段１２は、ソケットカバー５が倒伏して閉じられた際に中間部材６の側面６ｂに係止してソケットカバー５の閉状態を維持するようにするものであり、回動軸２４に巻き付けられ、一端部をソケットカバー５の上面に係止し、他端部を係止手段１２の上端内側面に係止させた弦巻ばね２５でソケットカバー５の内側に向けて常時付勢されている。そして、ソケットカバー５の収容部２０に対向する側の中央部には、押圧手段２６が設けられており、ソケットカバー５が閉状態において、この押圧手段２６で収容部２０に収容されたＩＣパッケージ３の上面を押圧してＩＣパッケージ３の端子３ａとコンタクト手段１９との電気的接続を確実なものとすることができるようなっている。
【００３４】
この押圧手段２６は、図４に示すように、プッシャー２７とパッド８とで構成されている。プッシャー２７は、ソケットカバー５の収容部２０に対向する側の面の中央部に形成した凹陥部２８に内蔵された弾性部材としての弦巻ばね２９で弾性的に支持されて凹陥部２８に収容されており、両側端部に縦方向に長い長孔３０を形成し、この長孔３０に凹陥部２８の内側面に支持された２本のシャフト３１をそれぞれ挿通して上下動可能にされている。
【００３５】
一方、パッド８は、図４において下面８ａが上面８ｂよりも狭い縦断面略逆台形形状に形成され、下面８ａでＩＣパッケージ３の上面を押圧するようにしている。また、上面８ｂ側には両側方に突き出した鍔部８ｃが設けられており、ソケットカバー５の閉動作に伴ってこの鍔部８ｃが解除部材２１に当接して押圧し、解除部材２１でフローティングプレート１６を付勢する付勢手段１５の付勢を解除するようになっている。さらに、パッド８は、その上面８ｂの両側端部に上方に突出して突出部８ｄを形成し、この突出部８ｄにプッシャー２７の長孔３０に対応して縦方向に長い長孔３２を形成し、凹陥部２８に設けた２本のシャフト３１でプッシャー２７と共に上下動可能に保持されている。そして、パッド８は、その上面にプッシャー２７の下面中央に形成した半球状の突起３３と嵌合する凹部３４を設けてプッシャー２７に対して揺動可能に保持され、プッシャー２７の押圧力をＩＣパッケージ３の上面に均一に作用させることができるようになっている。
【００３６】
なお、パッド８は、ソケットカバー５が閉じられて、収容部２０に収容されたＩＣパッケージ３が押圧された状態において、フローティングプレート１６の貫通孔１６ｃ上端面とパッド８の鍔部８ｃとの間に僅かな隙間が生じるように形成されている（図８参照）。これにより、ＩＣパッケージ３の厚みのバラツキを吸収して弾性手段１５の押圧力を確実にＩＣパッケージ３に伝えることができる。
【００３７】
次に、本発明の電気部品用ソケットの動作を、図６〜８を参照して説明する。
先ず、電気部品用ソケットが図示省略の電気回路基板上に配設される。次に、図６に示すように、ソケットカバー５が開状態において、フローティングプレート１６の開口部１６ａに対して矢印Ｃ方向にＩＣパッケージ３が落とし込まれる。このＩＣパッケージ３は、開口部１６ａの壁面１６ｂを斜面状に形成したガイド部によって、開口部１６ａ中央にてベースプレート２中央部の収容部２０まで導かれる。このとき、ＩＣパッケージ３は、開口部１６ａの壁面１６ｂ下部の四隅角部に開口部１６ａの内側に突出させて設けた支持部１７にその底面３ｂを係止されて支持される。
【００３８】
次に、ソケットカバー５を図２において矢印Ｄ方向に倒伏させて閉じる。このソケットカバー５の閉動作時には、先ず、図７に示すように、押圧手段２６のパッド８の鍔部８ｃがフローティングプレート１６の開口部１６ａの各辺側方中央部に設けた貫通孔１６ｃに挿入した解除部材２１の上端部に当接し、ソケットカバー５の閉動作に伴って、この解除部材２１を矢印Ｅ方向に押圧し、解除部材２１の下面部に配設された弦巻ばね１５を押し下げる。これにより、解除部材２１の貫通孔１６ｃに対する係止が解除され、フローティングプレート１６を上方に付勢する弦巻ばね１５の付勢が解除される。したがって、フローティングプレート１６は、自重で下降する。また同時にフローティングプレート１６の開口部１６ａに支持部１７で支持されたＩＣパッケージ３も下降する。このとき、まだ、パッド８は、ＩＣパッケージ３の上面には当接していない。
【００３９】
さらに、ソケットカバー５の閉動作が進んで、図８に示すように、弦巻ばね１５が圧縮されてフローティングプレート１６が最下点まで下降し、ベースプレート２に接触すると、パッド８がＩＣパッケージ３の上面に当接し、押圧手段２６の押圧力ＦがＩＣパッケージ３に作用する。これにより、ＩＣパッケージ３の端子３ａがストッパ１０に案内されてタブフィルム４の接点電極４ａと接触して電気的接続が確保される。
【００４０】
この状態において、ソケットカバー５の係止手段１２を中間部材６の側面６ｂに係止させて（図２参照）ソケットカバー５の閉動作が完了する。そして、ＩＣパッケージ３を収容した電気部品用ソケットは、例えばバーンインテスト等の製品検査に供される。
【００４１】
このバーンインテストは、高温の下で実施されるため、ＩＣパッケージ３の端子３ａの半田ボールが軟化してタブフィルム４の接点電極４ａに貼りつく場合がある。このように貼りついたＩＣパッケージ３は、以下に説明するソケットカバー５の開動作時に容易に引き剥がされる。
【００４２】
次に、ソケットカバー５の開動作を説明する。
先ず、ＩＣパッケージ３の製品検査が終了すると、係止手段１２による中間部材６の側面６ｂに対する係止が解除される（図２参照）。これにより、ソケットカバー５は、その側端部に設けた弦巻ばね２３の弾性復元力により回動軸２２を中心に回動して図２中矢印Ｇ方向の開動作を開始する。この開動作により、押圧手段２６によるＩＣパッケージ３への押圧力が解除され、図８に示すようにフローティングプレート１６が弦巻ばね１５の付勢力ｆにより上方に押し上げられる。同時に、弦巻ばね１５の付勢力ｆは、フローティングプレート１６の支持部１７を介してＩＣパッケージ３の底面３ｂに対して上方への引き剥がし力として作用する。この場合、弦巻ばね１５の付勢力ｆがＩＣパッケージ３の貼りつき力よりも十分に大きく設定されていれば、タブフィルム４の接点電極４ａに貼りついたＩＣパッケージ３は、この弦巻ばね１５の付勢力ｆにより容易に引き剥がされる。これにより、製品検査後、ＩＣパッケージ３の電気部品用ソケットからの取り出しが容易になる。
【００４３】
このように、本発明の電気部品用ソケットによれば、ソケットカバー５を閉じる際、ＩＣパッケージ３を押圧する前にフローティングプレート１６を弾性的に支持する弦巻ばね１５の付勢力を解除するようにしたことにより、ソケットカバー５の閉動作時には、弦巻ばね１５の付勢力ｆがＩＣパッケージ３に作用せず、ＩＣパッケージ３のダメージを抑制することができる。
【００４４】
また、フローティングプレート１６に設けた開口部１６ａの壁部１６ｂに開口部１６ａの内側に突出させて支持部１７を形成し、この支持部１７にＩＣパッケージ３を支持するようにしたことにより、ソケットカバー５の開動作時に、フローティングプレート１６を支持する弦巻ばね１５の付勢力ｆをＩＣパッケージ３の底面３ｂに作用させることができる。したがって、バーンインテスト等の高温テストにおいて軟化してタブフィルム４の接点電極４ａに貼りついた端子３ａを容易に引き剥がすことができる。これにより、テスト後、電気部品用ソケットからＩＣパッケージ３を容易に取り出すことができる。
【００４５】
なお、解除部材２１は、上述した略円錐台形状のものに限られず、フローティングプレート１６の貫通孔１６ｃに係止するブロック状に形成したものであれば如何なる形状であってもよい。また、例えば図９に示すように、弦巻ばね１５の上端部に一体的に形成した密巻き部１５ａを解除部材２１とし、この密巻き部１５ａをフローティングプレート１６の貫通孔１６ｃに挿入するようにしてもよい。この場合は、製造が容易になる。
【００４６】
さらに、フローティングプレート１６を下降させる手段は、フローティングプレート１６を上方に付勢する弦巻ばね１５の付勢を解除する解除部材２１に限られず、押圧手段２６によりＩＣパッケージ３が押圧される前にフローティングプレート１６を下降させることができれば如何なるものであってもよい。例えば、パッド８の鍔部８ｃ又はソケットカバー５の収容部に対向する側の面にプランジャー等を設け、このプランジャー等でフローティングプレート１６を直接押し下げてもよい。
【００４７】
そして、本発明の電気部品用ソケットは、クラムシェルタイプに限られず、オープントップタイプに適用してもよい。この場合、ソケット本体部１８に上下動自在に配設された押圧カバーに連動し、ＩＣパッケージ３を押圧する押圧手段としてのラッチ部材が、ＩＣパッケージ３の上面に当接して押圧する前にフローティングプレート１６が下降される構成とするとよい。
【図面の簡単な説明】
【００４８】
【図１】本発明による電気部品用ソケットの実施形態を示す平面図であり、Ｘ−Ｘ線に対して上半分はソケットカバーの開状態を示し、下半分はソケットカバーの閉状態を示す。
【図２】図１のＸ−Ｘ線断面図である。
【図３】上記電気部品用ソケットに適用されるＩＣパッケージを示し、（ａ）はその正面図であり、（ｂ）はその底面図である。
【図４】図２の要部を拡大して示すソケットカバー開状態の概念図である。
【図５】上記電気部品用ソケットのフローティングプレートを示す平面図である。
【図６】上記電気部品用ソケットにソケットカバー開状態で電気部品を収容した状態を示す説明図である。
【図７】上記電気部品用ソケットのソケットカバーの閉動作初期状態を示す説明図である。
【図８】上記電気部品用ソケットのソケットカバー閉動作完了状態を示す説明図である。
【図９】上記電気部品用ソケットの解除部材の他の構成例を示す縦断面図である。
【図１０】従来の電気部品用ソケットの分解斜視図である。
【図１１】タブフィルムに貼りついたＩＣパッケージを引き剥がす手段の一例を示す説明図である。
【符号の説明】
【００４９】
３…電気部品
３ａ…端子
５…ソケットカバー
８…パッド
１５…弦巻ばね（付勢手段）
１６…フローティングプレート
１６ａ…開口部
１６ｂ…壁部
１６ｃ…貫通孔
１７…支持部
１８…ソケット本体部
１９…コンタクト手段
２０…収容部
２１…解除部材
２６…押圧手段
２７…プッシャー
２９…弦巻ばね（押圧部材）
【図１】
2005294017.tif 000003
【図２】
2005294017.tif 000004
【図３】
2005294017.tif 000005
【図４】
2005294017.tif 000006
【図５】
2005294017.tif 000007
【図６】
2005294017.tif 000008
【図７】
2005294017.tif 000009
【図８】
2005294017.tif 000010
【図９】
2005294017.tif 000011
【図１０】
2005294017.tif 000012
【図１１】
2005294017.tif 000013